(57)【要約】【課題】剛体とされるプレート本体に対してバスバーの遊動固定が可能とされ、異音の発生を抑えることのできるバッテリ接続プレートを提供する。【解決手段】配列された各バッテリを接続するバスバー５０Ｂと、バスバー５０Ｂが装着されるプレート本体１０１　とを備え、プレート本体１０１　に対し、バスバー５０Ｂのガタつきを抑える抑制部１４ｐ１　がプレート本体１０１　に設けられた。バスバー５０Ｂを案内装着させるガイド壁１１ｂ１　がプレート本体１０１　に設けられ、ガイド壁１１ｂ１　に抑制部１４ｐ１　が設けられた。抑制部１４ｐ１　は、ガイド壁１１ｂ１　からバスバー５０Ｂが装着される収容部１１ｔ内に向けて延設された細長い可撓性ランス１４ｐ１　とされた。抑制部１４ｐ１　は、プレート本体１０１　に対しバスバー５０Ｂが遊動可能とされる可撓性ランス１４ｐ１　として形成された。【選択図】　　　図３
2004095380.tif 000002
【特許請求の範囲】
【請求項１】
配列された各バッテリを接続するバスバーと、該バスバーが装着されるプレート本体とを備え、該プレート本体に対し、該バスバーのガタつきを抑える抑制部が該プレート本体に設けられたことを特徴とするバッテリ接続プレート。
【請求項２】
前記バスバーを案内装着させるガイド壁が前記プレート本体に設けられ、該ガイド壁に前記抑制部が設けられたことを特徴とする請求項１記載のバッテリ接続プレート。
【請求項３】
前記抑制部は、前記ガイド壁から前記バスバーが装着される収容部内に向けて延設された細長い可撓性ランスとされたことを特徴とする請求項２記載のバッテリ接続プレート。
【請求項４】
前記抑制部は、前記プレート本体に対し前記バスバーが遊動可能とされる可撓性ランスとして形成されたことを特徴とする請求項１〜３の何れか１項に記載のバッテリ接続プレート。
【請求項５】
前記抑制部は、前記バスバーを前記プレート本体の基壁に押接させる可撓性ランスとして形成されたことを特徴とする請求項１〜４の何れか１項に記載のバッテリ接続プレート。
【請求項６】
前記可撓性ランスの先端部が、前記バスバーの電気接触部に当接されることで、前記プレート本体の基壁に対し該バスバーが押接されることを特徴とする請求項５記載のバッテリ接続プレート。
【請求項７】
前記抑制部は、前記バスバーが装着されるための収容部を形成する前記プレート本体のガイド壁に向けて、該バスバーを押接させる可撓性ランスとして形成されたことを特徴とする請求項１〜６の何れか１項に記載のバッテリ接続プレート。
【請求項８】
前記バスバーに対応して前記可撓性ランスの先端部に溝部が設けられ、該溝部に該バスバーが挿入されることで、前記プレート本体の前記ガイド壁に対し該バスバーが押接されることを特徴とする請求項７記載のバッテリ接続プレート。
【発明の詳細な説明】
【０００１】
【発明の属する技術分野】
本発明は、例えば電気自動車などのバッテリに装着されるバッテリ接続プレートに関するものである。
【０００２】
【従来の技術】
図１１は、従来の組電池の一形態を示すものである（特開２００１−５７１９６公報参照）。
角型をした複数の電池モジュール５０２が並列配置されている。また、角型をした複数の電池モジュール５０２の長手方向両端部に、それぞれ正極の接続端子５０５と、負極の接続端子５０６とが配設されている。正極の接続端子５０５と、負極の接続端子５０６とが、交互に配列されるように複数の電池モジュール５０２が並列配置されている。また、第１の接続モジュール５０７と、第２の接続モジュール５０８とにより、隣接する前記接続端子５０５，５０６が順次接続されて、各電池モジュール５０２が直列に接続されることにより、組電池５０１が構成されている。
【０００３】
第１の接続モジュール５０７および第２の接続モジュール５０８は、単位接続体５１２，５２０により構成されている。また、隣接する一対の前記接続端子５０５，５０６は、単位接続体５１２を構成する接続金具５１３により接続されている。さらに、前記接続金具５１３は、単位接続体５１２を構成する樹脂製枠部５１４に、インサート成形によって一体的に保持されている。また、前記単位接続体５１２，５２０は、相互に相対変位可能に連設されている。
【０００４】
また、図１２は、従来のバッテリ接続プレートの一形態を示すものである（特開２０００−１４９９０９公報参照）。
このバッテリ接続プレート６０１は、バッテリ集合体を直列に接続するために用いられる。バッテリ集合体は、一端に正の電極、他端に負の電極が設けられたバッテリを交互に逆向きに重ね合わせてなるものとされ、例えば図１１に示される各電池モジュール５０２の集合体に相当する。
【０００５】
図１２の如く、合成樹脂製の基板部６０２の長窓６０４にバスバー６０５が設けられている。また、バスバー６０５には、隣接するバッテリの電極を挿通する二つの孔６０６が設けられている。このようにして、バッテリに対する接続部６０３がバッテリ接続プレート６０１に設けられている。
【０００６】
また、一群の接続部６０３の左右両端側に、短窓６５４と、一つ孔付きのバスバー６５５とを備える接続部６５３が形成されている。符号６５６で示される孔は基準孔６５６とされる。また、符号ＡＬ　は、隣接する電極間のピッチＡＬ　を示し、整数倍された各符号ＡＬ　は、各寸法を意味するものとされている。
【０００７】
所定の数の接続部６０３毎に、電極とバスバー６０５の孔６０６との位置ずれを調整するためのピッチ調整手段６０７が、バッテリ接続プレート６０１に設けられている。ピッチ調整手段６０７は、基板部６０２に設けられたスリット６０８に、逃がし孔６０９を介して可撓部６１０が形成されたものとされる。
【０００８】
また、バッテリ接続プレート６０１は、二箇所のピッチ調整手段６０７により三つの部分６０１Ａ，６０１Ｂ，６０１Ｃに分画されている。従って、隣合う部分６０１Ａと、６０１Ｂとは、可撓部６１０を中心に撓まされたり開閉されたりされることにより、スリット６０８を中心として左右に移動される。また、部分６０１Ｂと、６０１Ｃとについても前記と同様とされる。
【０００９】
また、各部分６０１Ａ，６０１Ｂ，６０１Ｃの基板部６０２に対応して、ヒンジ６１１により開閉自在のカバー６１２がバッテリ接続プレート６０１に設けられている。各部分６０１Ａ，６０１Ｂ，６０１Ｃの基板部６０２に、ロック手段を構成する係止突起６１３が設けられている。また、各カバー６１２に、ロック手段を構成する係止孔６１４ａを備えた可撓性の係止片６１４が設けられている。
【００１０】
【発明が解決しようとする課題】
しかしながら、図１１に示される上記従来の組電池５０１にあっては、上記単位接続体５１２，５２０が相互に相対変位可能に連設されたものとされ、また、複数の拘束バンド５０４が用いられて複数の電池モジュール５０２が一つのものにまとめられ、組電池５０１が構成されるものであるから、組電池５０１全体の剛性をより向上させることは困難なこととされていた。
【００１１】
また、図１２に示される上記従来のバッテリ接続プレート６０１においても、ピッチ調整手段６０７が設けられ、このピッチ調整手段６０７は、基板部６０２に設けられたスリット６０８に、逃がし孔６０９を介して可撓部６１０が形成されたものであるから、上記バッテリ接続プレート６０１が装着されたバッテリ集合体において、バッテリ全体の剛性を向上させることは困難なこととされていた。
【００１２】
バッテリ全体の剛性をより向上させるために、例えば図１２に示されるバッテリ接続プレート（６０１）に上記ピッチ調整手段（６０７）が設けられることなく省略されて、バッテリ接続プレート（６０１）の基板部（６０２）全体が剛性体とされたものも考えられた。しかしながら、そのような剛性体のものであると、各バッテリ集合体間の寸法公差や取付誤差などを吸収させる部分がなくなり、バッテリの組立作業は困難な作業とされ、効率よくバッテリが組立てられないといったことが心配される。
【００１３】
また、各バッテリ集合体間の寸法公差や取付誤差などを吸収させるために、合成樹脂製の基板部（６０２）の長窓（６０４）と、この長窓（６０４）に備えられるバスバー（６０５）との隙間を大きくすることも考えられたが、そのようなものであると、基板部（６０２）と、バスバー（６０５）との間にガタつきが生じ、バッテリ接続プレート（６０１）から異音が発生されることが心配される。
【００１４】
本発明は、上記した点に鑑み、剛体とされるプレート本体に対してバスバーの遊動固定が可能とされ、プレート本体と、これに装着されるバスバーとが当たることで発生される異音を抑えることのできるバッテリ接続プレートを提供することを目的とする。
【００１５】
【課題を解決するための手段】
上記目的を達成するために、本発明の請求項１に係るバッテリ接続プレートは、配列された各バッテリを接続するバスバーと、該バスバーが装着されるプレート本体とを備え、該プレート本体に対し、該バスバーのガタつきを抑える抑制部が該プレート本体に設けられたことを特徴とする。
上記構成により、プレート本体に対するバスバーのガタつきは抑えられつつ、バスバーは移動可能な状態でプレート本体に装着されることとなる。抑制部が設けられていないプレート本体にバスバーが装着されると、例えば振動などによって、プレート本体と、バスバーとが当たり、このことから、バッテリ接続プレートから異音が発生されることが懸念されていた。これが改善されるために、プレート本体にバスバーのガタつきを抑える抑制部が設けられていれば、バッテリ接続プレートからの異音の発生は未然に防止されると共に、プレート本体に対し、バスバーは移動可能な状態で装着されることとなる。
【００１６】
請求項２に係るバッテリ接続プレートは、請求項１に係るバッテリ接続プレートにおいて、前記バスバーを案内装着させるガイド壁が前記プレート本体に設けられ、該ガイド壁に前記抑制部が設けられたことを特徴とする。
上記構成により、抑制部が設けられるために特別なスペースがプレート本体に必要とされるということはない。プレート本体のガイド壁に抑制部が設けられていることにより、異音発生が防止され且つプレート本体が大型化されることのないバッテリ接続プレートが提供されることとなる。
【００１７】
請求項３に係るバッテリ接続プレートは、請求項２に係るバッテリ接続プレートにおいて、前記抑制部は、前記ガイド壁から前記バスバーが装着される収容部内に向けて延設された細長い可撓性ランスとされたことを特徴とする。
上記構成により、プレート本体に対するバスバーのガタつきは、プレート本体のガイド壁に設けられた細長い可撓性ランスによって良好に抑えられることとなる。
【００１８】
請求項４に係るバッテリ接続プレートは、請求項１〜３の何れか１項に係るバッテリ接続プレートにおいて、前記抑制部は、前記プレート本体に対し前記バスバーが遊動可能とされる可撓性ランスとして形成されたことを特徴とする。
上記構成により、剛性のあるプレート本体にバスバーが装着された場合、可撓性ランスにより、バスバーはプレート本体に対して適度に押接された状態で遊動固定されることとなる。従って、振動などによって、プレート本体にバスバーが当たり、バッテリ接続プレートから異音が発生されるということは、未然に回避されることとなる。
【００１９】
請求項５に係るバッテリ接続プレートは、請求項１〜４の何れか１項に係るバッテリ接続プレートにおいて、前記抑制部は、前記バスバーを前記プレート本体の基壁に押接させる可撓性ランスとして形成されたことを特徴とする。
上記構成により、バスバーは、プレート本体の基壁に対して確実に押付けられた状態に維持されることとなる。従って、振動などによってプレート本体の基壁にバスバーが当たり、バッテリ接続プレートから異音が発生されるということは、未然に防止されることとなる。
【００２０】
請求項６に係るバッテリ接続プレートは、請求項５に係るバッテリ接続プレートにおいて、前記可撓性ランスの先端部が、前記バスバーの電気接触部に当接されることで、前記プレート本体の基壁に対し該バスバーが押接されることを特徴とする。
上記構成により、バスバーは、可撓性ランスの先端部と、プレート本体の基壁との間に挟まれて、確実にプレート本体に遊動固定されることとなる。これにより、バッテリ接続プレートからの異音の発生は、確実に防止されることとなる。
【００２１】
請求項７に係るバッテリ接続プレートは、請求項１〜６の何れか１項に係るバッテリ接続プレートにおいて、前記抑制部は、前記バスバーが装着されるための収容部を形成する前記プレート本体のガイド壁に向けて、該バスバーを押接させる可撓性ランスとして形成されたことを特徴とする。
上記構成により、バスバーは、プレート本体のガイド壁に対して確実に押付けられた状態に維持されることとなる。従って、振動などによってプレート本体のガイド壁にバスバーが当たり、バッテリ接続プレートから異音が発生されるということは、未然に防止されることとなる。
【００２２】
請求項８に係るバッテリ接続プレートは、請求項７に係るバッテリ接続プレートにおいて、前記バスバーに対応して前記可撓性ランスの先端部に溝部が設けられ、該溝部に該バスバーが挿入されることで、前記プレート本体の前記ガイド壁に対し該バスバーが押接されることを特徴とする。
上記構成により、バスバーは、可撓性ランスに確実に遊動固定されると共に、可撓性ランスの復元弾性力によって、バスバーは、確実にプレート本体のガイド壁に押付けられることとなる。従って、バッテリ接続プレートからの異音の発生は、確実に防止されることとなる。
【００２３】
【発明の実施の形態】
以下に本発明に係るバッテリ接続プレートの実施形態を図面に基づいて詳細に説明する。
図１は、本発明に係るバッテリ接続プレートの第一の実施形態を示す斜視図、図２は、同じくバッテリ接続プレートの第一の実施形態を示す断面図、図３は、同じくバッテリ接続プレートの第一の実施形態を示す拡大斜視図、図４は、同じくバッテリ接続プレートの第一の実施形態を示す縦断面図である。
【００２４】
図５は、本発明に係るバッテリ接続プレートの第二の実施形態を示す縦断面図、図６は、本発明に係るバッテリ接続プレートの第三の実施形態を示す斜視図、図７は、同じくバッテリ接続プレートの第三の実施形態を示す縦断面図、図８は、本発明に係るバッテリ接続プレートの第四の実施形態を示す縦断面図である。図９は、バッテリ接続プレートに装着されるバスバーの他の実施形態を示し、（ａ）は平面図、（ｂ）は側面図である。図１０は、図１に示されるＴ部の他の実施形態を示す拡大斜視図である。
【００２５】
図３〜図８の如く、第一ないし第四の実施形態のバッテリ接続プレート１１　〜１４　は、各抑制部１４ｐ１　〜１４ｐ４　の形態を除いて略同じ構成のものとされている。また、各図に示された内容において、共通とされる部分については、まとめて説明されている。また、第二ないし第四の実施形態のバッテリ接続プレート１２　〜１４　において、第一の実施形態のバッテリ接続プレート１１　と共通とされる部分については、同一の符号が付され、その詳細な説明は省略されている。
【００２６】
図１および図２に基づいて、バッテリ接続プレートの上下方向について説明すると、バッテリ接続プレート１１　を構成するプレート本体１０に対し、ナット１００が位置する側を上側とし、プレート本体１０を形成する基壁１０ｂ側を下側とする。なお、この明細書における「上下」の定義は便宜上のものであり、必ずしもバッテリ接続プレートの実使用時における方向と一致するものではない。
【００２７】
図１および図２に例示されたバッテリ接続プレート１１　は、縦横方向に配列された各バッテリ４００（図２）を通電可能に接続する金属製の各バスバー５０Ａ，５０Ｂ（図１）と、各バスバー５０Ａ，５０Ｂが装着される合成樹脂製のプレート本体１０１　と、このプレート本体１０１　に装備されると共に、バッテリ４００（図２）と、電子部品２１０とを接続する金属製の端子６０（図１）と、この端子６０をプレート本体１０１　に確実に装着させる合成樹脂製のカバー２０とを備えるものとして構成されている。このようなバッテリ接続プレート１１　は、縦横方向に配列された各バッテリ４００（図２）に装着される。
【００２８】
図１の如く、プレート本体１０１　は、基壁１０ｂと、基壁１０ｂの外周部に立設された周壁１０ａと、基壁１０ｂ上に立設された各ガイド壁１１ａ１　，１１ｂ１　，１１ｃ〜１１ｋ，１１ｍとを備えるものとして形成され、合成樹脂材が用いられて、前記基壁１０ｂと、前記周壁１０ａと、前記各ガイド壁１１ａ１　，１１ｂ１　，１１ｃ〜１１ｋ，１１ｍとが一体成形されたものである。
【００２９】
耐食性が向上されるために、金属製の各バスバー５０Ａ〜５０Ｈに、錫鍍金などのメッキ処理が施されている。また、金属製の各バスバー５０Ａ〜５０Ｈは、各ガイド壁１１ａ１　，１１ｂ１　，１１ｃ〜１１ｈに案内されて各収容部内に備えられている。また、金属製の各端子６０は、各ガイド壁１１ｉによって案内されて、各バスバーが装着された各収容部内へ備えられている。合成樹脂製の各カバー２０および各他のカバー３０は、各ガイド壁１１ｊに案内されて各収容部内に装着されている。
【００３０】
また、前記カバー２０と、前記他のカバー３０との間に、他の端子７０が備えられている。他の端子７０は、電線８０と接続されている。各電線８０は、周壁１０ａと、各方向へ延長形成された各ガイド壁１１ｋと、ガイド壁１１ｋとガイド壁１１ｋとの間に位置する矩形小板状の各ガイド壁１１ｍとに案内されてプレート本体１０１　に装着されている。また、図３，図４，図６，図７，図１０の如く、電線８０は、軟銅線がより合わされて構成された導体８１と、この導体８１を保護する塩化ビニル製の絶縁被覆体８２とを備えるものとして構成されている。
【００３１】
図１および図２の如く、本発明の第一の実施形態で用いられる合成樹脂製の上側カバー２０は、略矩形箱状をした周壁２１と、この周壁２１内に交差されて設けられた複数の隔壁２２ａ，２２ｂとを備えるものとして形成され、矩形箱状をした各収容部２３ａ，２３ｄ（図１）が設けられている。また、上側カバー２０の開口部２３ｂから挿通部２３ｃにかけて貫通されている。
【００３２】
また、図２の如く、本発明の第一の実施形態で用いられる合成樹脂製の下側カバー３０は、略矩形箱状をした周壁３１と、この周壁３１内に設けられた隔壁３２ａとを備えるものとして形成され、矩形箱状をした各収容部３３ａなどが設けられている。
【００３３】
図２の如く、上側カバー２０の収容部２３ａと、下側カバー３０の収容部３３ａとに、電子部品２１０が位置するものとされている。電子部品２１０として、電圧検出素子などが挙げられる。具体的に説明すると、電子部品２１０として、過電流防止用抵抗素子２１０が用いられている。
【００３４】
図２の如く、各バッテリ４００は、縦横各方向に向けて整列されている。配列された各バッテリ４００の上下の寸法公差は、±０．１ｍｍ程度とされている。このような複数のバッテリ４００を一つの電池としてまとめるために、複数のバッテリ４００にプレート本体１０１　が装着される。
【００３５】
各バッテリ４００は、バッテリ４００の電極４０５同士を通電可能に接続させる金属製のバスバー５０Ａ，５０Ｂ（図１）などにより、通電可能に直列に接続される。図１の如く、バスバー５０Ａよりもバスバー５０Ｂの方が横長に形成されているが、その他の部分は、バスバー５０Ａと、バスバー５０Ｂとは、略一致した形状のものとされている。また、バスバー５０Ｇは、マイナス（−）側の電極とされるバスバーとされ、バスバー５０Ｈは、プラス（＋）側の電極とされるバスバーとされている。また、符号５０ＬＡは、端子６０からほかの部分へ通電可能に接続される別の端子５０ＬＡとされている。
【００３６】
各バスバー５０Ａ〜５０Ｈは、各ガイド壁１１ａ１　，１１ｂ１　，１１ｃ〜１１ｈに設けられた各抑制部１４ｐ１　や、各係止部１４ｑ〜１４ｖにより、プレート本体１０１　に確実に係止めされている。各係止部１４，１４ｑ〜１４ｖは、係止面と、傾斜摺接面とを備えるものとして形成されている。また、各電線８０は、周壁１０ａや、各ガイド壁１１ｋ，１１ｍに設けられた各係止部１４ｗにより、プレート本体１０１　に係止めされている。
【００３７】
図３〜図８の如く、プレート本体１０１　〜１０４　に対し、バスバー５０Ｂのガタつきを抑える抑制部１４ｐ１　〜１４ｐ４　が、プレート本体１０１　〜１０４　に設けられている。前記抑制部１４ｐ１　〜１４ｐ４　が、プレート本体１０１　〜１０４　に設けられていれば、プレート本体１０１　〜１０４　に対するバスバー５０Ｂのガタつきは抑えられつつ、バスバー５０Ａ，５０Ｂは移動可能な状態でプレート本体１０１　〜１０４　に装着されることとなる。
【００３８】
抑制部が設けられていないプレート本体にバスバー（５０Ｂ）が装着されると、例えばバッテリ接続プレートが移送される際に、振動などによって、プレート本体と、バスバー（５０Ｂ）とが繰返して当たり、このことから、バッテリ接続プレートから異音が発生されることが懸念されていた。
【００３９】
このような不具合が改善されるために、プレート本体１０１　〜１０４　にバスバー５０Ｂのガタつきを抑える抑制部１４ｐ１　〜１４ｐ４　が設けられていれば、バッテリ接続プレート１１　〜１４　からの異音の発生は未然に防止されると共に、プレート本体１０１　〜１０４　に対し、バスバー５０Ｂは移動可能な状態で装着されることとなる。
【００４０】
図１の如く、各バスバー５０Ａ，５０Ｂを案内装着させる各ガイド壁１１ａ１　，１１ｂ１　が、プレート本体１０１　に設けられている。また、各ガイド壁１１ｂ１　に前記抑制部１４ｐ１　が設けられている。図３〜図８を用いて説明すると、バスバー５０Ｂを案内装着させるガイド壁１１ｂ１　〜１１ｂ４　が、プレート本体１０１　〜１０４　に設けられている。また、ガイド壁１１ｂ１　〜１１ｂ４　に前記抑制部１４ｐ１　〜１４ｐ４　が設けられている。
【００４１】
ガイド壁１１ｂ１　〜１１ｂ４　に前記抑制部１４ｐ１　〜１４ｐ４　が設けられていれば、抑制部１４ｐ１　〜１４ｐ４　が設けられるために特別なスペースがプレート本体１０１　〜１０４　に必要とされるということはない。プレート本体１０１　〜１０４　のガイド壁１１ｂ１　〜１１ｂ４　に、抑制部１４ｐ１　〜１４ｐ４　が設けられていることにより、異音発生が防止され、且つ、プレート本体１０１　〜１０４　が大型化されることのないバッテリ接続プレート１１　〜１４　が提供されることとなる。
【００４２】
前記抑制部１４ｐ１　〜１４ｐ４　は、ガイド壁１１ｂ１　〜１１ｂ４　の上側からバスバー５０Ｂが装着される収容部１１ｔ内の下側すなわち基壁１０ｂ側に向けて延設された細長い可撓性ランス１４ｐ１　〜１４ｐ４　とされている。これにより、プレート本体１０１　〜１０４　に対するバスバー５０Ｂのガタつきは、プレート本体１０１　〜１０４　のガイド壁１１ｂ１　〜１１ｂ４　に設けられた細長い可撓性ランス１４ｐ１　〜１４ｐ４　によって、良好に抑えられることとなる。
【００４３】
図３〜図８の如く、前記抑制部１４ｐ１　〜１４ｐ４　は、プレート本体１０１　〜１０４　に対しバスバー５０Ｂが遊動可能とされる可撓性ランス１４ｐ１　〜１４ｐ４　として形成されている。前記抑制部１４ｐ１　〜１４ｐ４　が、可撓性ランス１４ｐ１　〜１４ｐ４　として形成されていれば、剛性のあるプレート本体１０１　〜１０４　にバスバー５０Ｂが装着された場合、可撓性ランス１４ｐ１　〜１４ｐ４　により、バスバー５０Ｂは、プレート本体１０１　〜１０４　に対して適度に押接された状態で遊動固定されることとなる。従って、振動などによって、プレート本体１０１　〜１０４　にバスバー５０Ｂが繰返して当たり、バッテリ接続プレート１１　〜１４　から異音が発生されるということは、未然に回避されることとなる。
【００４４】
図３および図４の如く、第一の実施形態のバッテリ接続プレート１１　における可撓性ランス１４ｐ１　は、ガイド壁１１ｂ１　の上側に位置する根元部１４ｐ１１と、根元部１４ｐ１１から曲部１４ｐ１２を経て延設される真直部１４ｐ１３と、真直部１４ｐ１３の終端に設けられた先端部１４ｐ１５とを備えるものとして形成されている。先端部１４ｐ１５には、傾斜部１４ｐ１６が設けられ、この傾斜部１４ｐ１６の先に、バスバー５０Ａ，５０Ｂの一面側とされる上面部５０ｐと当接される尖端部１４ｐ１７が設けられている。また、可撓性ランス１４ｐ１　が撓まされた際に、この可撓性ランス１４ｐ１　に対応する撓み空間１４ｐ１９がプレート本体１０１　に設けられている。
【００４５】
また、図１の如く、バスバー５０Ａ，５０Ｂが案内装着されるガイド壁１１ａ１　，１１ｂ１　内の収容部１１ｓ，１１ｔに向けて突設された一対の係止部１４ｑ（図１〜図３）と、細長い前記可撓性ランス１４ｐ１　とにより、バスバー５０Ａ，５０Ｂは、プレート本体１０１　に対し、より確実に遊動固定されることとなる。
【００４６】
図３および図４の如く、ガイド壁１１ａ１　に設けられた一対の係止部１４ｑは、ガイド壁１１ａ１　に囲まれた収容部１１ｓ内にバスバー５０Ａを導き入れ易くさせるための傾斜摺接面１４ｑ３　と、バスバー５０Ａが収容部１１ｓ内に押入される際にバスバー５０Ａの側面部５０ｓ（図６），５０ｔ（図２，図６）と擦り合わされる摺接面１４ｑ２（図３）　と、収容部１１ｓ内に押入されたバスバー５０Ａが、収容部１１ｓ内から不用意に取外されることを防止する係止面１４ｑ１　とを備えるものとして形成されている。
【００４７】
図５〜図８に示される第二の実施形態ないし第四の実施形態のバッテリ接続プレート１２　〜１４　においても、バスバー５０Ａ，５０Ｂが案内装着されるガイド壁１１ａ２　〜１１ａ４　，１１ｂ２　〜１１ｂ４　内の収容部１１ｓ，１１ｔに向けて突設された一対の係止部１４ｑ（図６）と、細長い可撓性ランス１４ｐ２　〜１４ｐ４（図５〜図８）　とにより、バスバー５０Ａ，５０Ｂは、プレート本体１０２　〜１０４　に対し、より確実に遊動固定されることとなる。
【００４８】
図５〜図７の如く、抑制部１４ｐ２　，１４ｐ３　は、バスバー５０Ｂをプレート本体１０２　，１０３　の基壁１０ｂに押接させる可撓性ランス１４ｐ２　，１４ｐ３　として形成されている。このようにすることで、バスバー５０Ｂは、プレート本体１０２　，１０３　の基壁１０ｂに対して確実に押付けられた状態に維持されることとなる。従って、振動などによってプレート本体１０２　，１０３　の基壁１０ｂにバスバー５０Ｂが繰返して当たり、バッテリ接続プレート１２　，１３　から異音が発生されるということは、未然に防止されることとなる。
【００４９】
図５の如く、第二の実施形態のバッテリ接続プレート１２　における可撓性ランス１４ｐ２　は、ガイド壁１１ｂ２　の上側に位置する根元部１４ｐ２１と、根元部１４ｐ２１から曲部１４ｐ２２を経て延設される緩やかな湾曲部１４ｐ２３と、湾曲部１４ｐ２３から他の曲部１４ｐ２４を経て延設される先端部１４ｐ２５とを備えるものとして形成されている。先端部１４ｐ２５には、傾斜部１４ｐ２６が設けられ、この傾斜部１４ｐ２６の先に、バスバー５０Ｂの一面側とされる上面部５０ｐと常に接触されて当接される尖端部１４ｐ２７が設けられている。また、可撓性ランス１４ｐ２　が撓まされた際に、この可撓性ランス１４ｐ２　に対応する撓み空間１４ｐ２９がプレート本体１０２　に設けられている。
【００５０】
このような形状に可撓性ランス１４ｐ２　が形成されていれば、可撓性ランス１４ｐ２　の復元弾性力により、基壁１０ｂの上面部１０ｃと、バスバー５０Ｂの下面部５０ｑとは、当接された状態に維持されることとなる。従って、プレート本体１０２　と、バスバー５０Ｂとが繰返して当たることで生じる異音の発生は、未然に回避されることとなる。
【００５１】
また、可撓性ランス１４ｐ２　の先端部１４ｐ２５が、バスバー５０Ｂの電気接触部５１の上面部５０ｐに当接されることで、プレート本体１０２　の基壁１０ｂに対しバスバー５０Ｂが押接される。このようにすれば、バスバー５０Ｂは、可撓性ランス１４ｐ２　の先端部１４ｐ２５と、プレート本体１０２　の基壁１０ｂとの間に挟まれて、確実にプレート本体１０２　に遊動固定されることとなる。これにより、バッテリ接続プレート１２　からの異音の発生は、確実に防止されることとなる。
【００５２】
図６〜図８の如く、抑制部１４ｐ３　，１４ｐ４　は、バスバー５０Ｂが装着されるための収容部１１ｔを形成するプレート本体１０３　，１０４　のガイド壁１１ｂ３　，１１ｂ４　に向けて、バスバー５０Ｂを押接させる可撓性ランス１４ｐ３　，１４ｐ４　として形成されている。
【００５３】
このような可撓性ランス１４ｐ３　，１４ｐ４　がプレート本体１０３　，１０４　に形成されていれば、バスバー５０Ｂは、プレート本体１０３　，１０４　のガイド壁１１ｂ３　，１１ｂ４　に対して確実に押付けられた状態に維持されることとなる。従って、振動などによってプレート本体１０３　，１０４　のガイド壁１１ｂ３　，１１ｂ４　にバスバー５０Ｂが繰返して当たり、バッテリ接続プレート１３　，１４　から異音が発生されるということは、未然に防止されることとなる。
【００５４】
図６および図７の如く、第三の実施形態のバッテリ接続プレート１３　における可撓性ランス１４ｐ３　は、ガイド壁１１ｂ３　の上側に位置する根元部１４ｐ３１と、根元部１４ｐ３１から延設される真直部１４ｐ３３と、真直部１４ｐ３３から延設された肉厚部１４ｐ３４と、肉厚部１４ｐ３４の先端部１４ｐ３５近傍の側部１４ｐ３６に設けられた溝部１４ｐ３７とを備えるものとして形成されている。また、可撓性ランス１４ｐ３　が撓まされた際に、この可撓性ランス１４ｐ３　に対応する撓み空間１４ｐ３９がプレート本体１０３　に設けられている。
【００５５】
このような形状に可撓性ランス１４ｐ３　が形成されていれば、バスバー５０Ｂは、確実に可撓性ランス１４ｐ３　に設けられた溝部１４ｐ３７に装着されると共に、可撓性ランス１４ｐ３　の復元弾性力により、ガイド壁１１ｂ３　の内面部１１ｔ０　と、バスバー５０Ｂの他の側面部５０ｔとは、当接された状態に維持されることとなる。これにより、プレート本体１０３　と、バスバー５０Ｂとが繰返して当たることで生じる異音の発生は、未然に回避されることとなる。
【００５６】
図６および図７の如く、バスバー５０Ｂに対応して、可撓性ランス１４ｐ３　の先端部１４ｐ３５に溝部１４ｐ３７が設けられている。この溝部１４ｐ３７にバスバー５０Ｂが挿入されることで、プレート本体１０３　のガイド壁１１ｂ３　に対しバスバー５０Ｂが押接される。
【００５７】
このようにすれば、バスバー５０Ｂは、可撓性ランス１４ｐ３　に確実に遊動固定されると共に、可撓性ランス１４ｐ３　の復元弾性力によって、バスバー５０Ｂは、確実にプレート本体１０３　のガイド壁１１ｂ３　に押付けられることとなる。従って、バッテリ接続プレート１３　からの異音の発生は、確実に防止されることとなる。
【００５８】
図８の如く、第四の実施形態のバッテリ接続プレート１４　における可撓性ランス１４ｐ４　は、ガイド壁１１ｂ４　の上側に位置する根元部１４ｐ４１と、根元部１４ｐ４１から曲部１４ｐ４２を経て延設される緩やかな湾曲部１４ｐ４３と、湾曲部１４ｐ４３の終端に設けられた先端部１４ｐ４５とを備えるものとして形成されている。先端部１４ｐ４５には、バスバー５０Ｂの一側面部５０ｓと常に当接される平面部１４ｐ４７が設けられている。また、可撓性ランス１４ｐ４　が撓まされた際に、この可撓性ランス１４ｐ４　に対応する撓み空間１４ｐ４９がプレート本体１０４　に設けられている。
【００５９】
このような形状に可撓性ランス１４ｐ４　が形成されていれば、可撓性ランス１４ｐ４　の復元弾性力により、ガイド壁１１ｂ４　の内面部１１ｔ０　と、バスバー５０Ｂの他の側面部５０ｔとは、当接された状態に維持されることとなる。従って、プレート本体１０４　と、バスバー５０Ｂとが繰返して当たることで生じる異音の発生は、確実に防止されることとなる。
【００６０】
また、図８に示される可撓性ランス１４ｐ４　は、比較的簡素な形状をした可撓性ランス１４ｐ４　とされているから、金型が用いられて合成樹脂製のプレート本体１０４　が成形されると共にプレート本体１０４　に可撓性ランス１４ｐ４　が形成される際に、比較的簡単な構造をした金型によってプレート本体１０４　が形成可能とされる。従って、成型用金型のコストの低減化が図られることとなり、結果として、価格が低減化されたバッテリ接続プレート１４　を提供することが可能となる。
【００６１】
図１の如く、各バスバー５０Ａ，５０Ｂと接続される各端子６０は、略矩形平板状をした金属製のものとされている。また、バッテリ４００（図２）と、電子部品２１０との位置ずれを吸収する寸法差吸収部６６（図１，図２）が、端子６０に設けられている。寸法差吸収部６６は、各バッテリ４００や、端子６０などの寸法公差や、プレート本体１０１　に対する各バッテリ４００や、各端子６０や、各電子部品２１０などの取付誤差を吸収する役割を果すものとされている。このように、寸法差吸収部６６は、寸法公差や、取付誤差などの寸法差を吸収するものとされている。また、カバー２０がプレート本体１０１　に組付けられることにより、プレート本体１０１　に前記端子６０が仮固定の状態で取付けられる。
【００６２】
図１の如く、端子６０に設けられた前記寸法差吸収部６６は、略矩形状をした端子本体６１に設けられた細長い略クランク状の切欠き部６７と、前記端子本体６１から延設された細長い略クランク状の可撓性脚部６６とを備えるものとして構成されている。図２の如く、バッテリ４００と、電子部品２１０との上下方向の位置ずれは、端子６０に設けられた細長い可撓性脚部６６が撓まされることにより確実に吸収されることとなる。
【００６３】
前記可撓性脚部６６の先端部６６ａに、電子部品２１０のリード端子２１６が通される径の小さい挿通孔（図示せず）が設けられている。また、略矩形状をした端子本体６１に、バッテリ４００に設けられた雄ねじ状の電極４０５が通される径の大きい挿通孔６５が設けられている。上記端子６０は、例えば端子金具素材（図示せず）に打抜き加工や、曲げ加工などのプレス加工が行われて形成されたものである。
【００６４】
図１の如く、検出用端子６０の一端側に寸法差吸収部６６を構成する可撓性脚部６６が設けられている。また、図２の如く、前記可撓性脚部６６と、電子部品２１０の一方のリード端子２１６とが通電可能に接続される。また、図１の如く、検出用端子６０の他端側に電気接触部６１を兼ねた端子本体６１が設けられている。
【００６５】
図２の如く、前記端子本体６１と、バッテリ４００の本体４０１から突出された電極４０５とが通電可能に接続される。端子本体６１は、電気接触部６１としての役割を果すものとされている。このようにすることで、端子本体６１にクラックが生じることなく、バッテリ４００から検出用端子６０を介して電子部品２１０に至るまで、長期に亘って確実に通電可能に接続されることとなる。
【００６６】
図２の如く、半田材３００により、電子部品２１０の本体２１１から突出された一方のリード端子２１６と、検出用端子６０の可撓性脚部６６とが接続される。また、半田材３００により、電子部品２１０の他方のリード端子２１７と、他の端子７０の先端部７７ａ（図１，図２）とが接続される。これにより、検出用端子６０から他の端子７０にかけて通電可能な状態となる。
【００６７】
図２の如く、プレート本体１０１　にカバー収容部１２が設けられている。また、上側カバー２０に対応した下側カバー３０が、カバー収容部１２の下方側に装着されている。下側カバー３０上に、検出用端子６０の可撓性脚部６６と、他の端子７０（図１，図２）とが位置するものとされている。また、検出用端子６０の可撓性脚部６６の先端部６６ａおよび他の端子７０が位置するカバー収容部１２の上方側に、上側カバー２０が装着されることで、検出用端子６０と、他の端子７０とが、プレート本体１０１　に装着される。
【００６８】
また、図２の如く、上側カバー２０の下部に設けられた押え部２６ａ，２６ｂにより、検出用端子６０の可撓性脚部６６の先端部６６ａと、他の端子７０の先端部７７ａとは、上側カバー２０と、下側カバー３０との間に確実に備えられることとなる。
【００６９】
プレート本体１０１　に設けられた略矩形箱状のカバー収容部１２の下部四隅に停止部１３（図２）が突設されている。下側カバー３０を形成する略矩形箱状をした周壁３１の下部四隅が、カバー収容部１２の下部四隅に突設された停止部１３に当接されることで、下側カバー３０は、プレート本体１０１　に確実に装着されることとなる。
【００７０】
図１および図２に示されるプレート本体　（１０１）に対し、同じく図１および図２に示される下側カバー（３０）が一体とされたものも使用可能とされる。詳しく説明すると、同材質の合成樹脂材が用いられて、図１および図２に示されるプレート本体　（１０１）と、同じく図１および図２に示される下側カバー（３０）とが、一つのものとして一体成形されたプレート本体も使用可能とされる。
【００７１】
また、図２の如く、プレート本体１０１　のカバー収容部１２内に、係止面１４ａと、摺接面１４ｂと、傾斜摺接面１４ｃとを備える一対の係止部１４が設けられている。前記一対の係止部１４に対応して、カバー２０の周壁２１に、係合面２４ａを備える一対の係合部２４が設けられている。プレート本体１０１　のカバー収容部１２内に設けられた係止突出部を備える一対の係止部１４と、カバー２０の周壁２１に設けられた係合凹部を備える一対の係合部２４とが係り合わされることで、図１の如く、プレート本体１０１　にカバー２０が装着される。
【００７２】
その際に、プレート本体１０１　のカバー収容部１２内に設けられた係止部１４の係止面１４ａと、カバー２０の周壁２１に設けられた係合部２４の係合面２４ａとが当接されることで、プレート本体１０１　に対し、カバー２０は確実に係止される。また、これにより、プレート本体１０１　と、カバー２０との間に位置する端子６０は、プレート本体１０１　に仮組付けされた状態に維持されることとなる。
【００７３】
図２の如く、端子６０の可撓性脚部６６と、電子部品２１０の一方のリード端子２１６とは、半田付けにより通電可能に接続されている。半田材３００により、端子６０の可撓性脚部６６と、電子部品２１０の一方のリード端子２１６とは、確実に繋ぎ止められて通電可能に接続される。電子部品２１０に突設された一方のリード端子２１６が、端子６０を形成する可撓性脚部６６の先端部６６ａに設けられた小孔（図示せず）に挿通されて半田付けが行われる。
【００７４】
また、図２の如く、他の端子７０と、電子部品２１０の他方のリード端子２１７とは、半田付けにより通電可能に接続される。半田材３００により、他の端子７０と、電子部品２１０の他方のリード端子２１７とは、確実に繋ぎ止められると共に通電可能に接続される。電子部品２１０に突設された他方のリード端子２１７が、他の端子７０の先端部７７ａに設けられた小孔（図示せず）に挿通されて半田付けが行われる。
【００７５】
上記半田付けの方法は、各方法により行われることが可能とされるが、カバー２０および他のカバー３０に、電子部品２１０が備えられた状態で半田付けの作業が行われると、容易で迅速に半田付け作業が行われることとなる。半田材３００は、錫などが用いられた融点の低いろう付け用合金とされている。
【００７６】
また、図１の如く、他の端子７０の電線接続部７８に電線８０が圧着されて、他の端子７０と、電線８０とが、通電可能に接続されている。即ち、他の端子７０の電線接続部７８に設けられた各圧着片により電線８０が加締められて、他の端子７０と、電線８０とが、確実に通電可能に接続されている。また、図１に示される各電線８０の絶縁被覆体は、何れのものも異なる色に設定されて、各電線８０は、一目で識別可能なものとされている。
【００７７】
図１および図２に示された電子部品２１０として、例えばＰＴＣサーミスタなどが挙げられる。ＰＴＣとは「ｐｏｓｉｔｉｖｅ　ｔｅｍｐｅｒａｔｕｒｅ　ｃｏｅｆｆｉｃｉｅｎｔ」を意味するものとされている。ＰＴＣサーミスタは、温度が上昇すると抵抗が増加する特性を備えるものとされ、素子の温度がある値を超えると急激に抵抗が増加される。また、ＰＴＣサーミスタは、ある程度の電力に対応可能とされており、単に温度を検出するだけでなく、電力を直接制御するといった使用ができるものとされている。
【００７８】
ＰＴＣサーミスタは、ある温度以上になると、それ自身の電気抵抗が急激に高いものとなるから、電流が減少され温度が下げられる。また、少し温度が下げられると抵抗が急激に減少されるから、電流が流れて発熱され温度が上昇される。ＰＴＣサーミスタは、それ自身で発熱温度をある範囲内に抑制可能な自己制御型材料が用いられて構成されている。
【００７９】
バッテリや電気装置などの過電流保護のために用いられるＰＴＣサーミスタについて説明すると、このＰＴＣサーミスタは、これに流される電流が大きくなると、ジュール熱によってＰＴＣサーミスタの温度が上昇されるものであるから、その電流がある限度を超えたとき、ＰＴＣサーミスタの抵抗の増加によって、電流を抑制または遮断させる機能を備え持つものとされている。即ち、過電流保護用のＰＴＣサーミスタは、通常、一定の低い抵抗値の抵抗体として機能するが、過電流が流れると抵抗値が急激に増加し、電流を制限する。過電流保護用のＰＴＣサーミスタは、容易に復帰可能なヒューズとしての役割を果し、過電流防止用抵抗素子などとして取り扱われる。
【００８０】
図１および図２に示される電子部品２１０として、バッテリ４００（図２）から発せられる過大電流に対応可能な過電流防止用抵抗素子２１０が用いられた。また、過電流防止用抵抗素子２１０として、例えば約７０ｍＡの電流値を境に電流の変化が検知されるものが用いられた。
【００８１】
バッテリに装着されるバッテリ接続プレート１１　に過電流防止用抵抗素子が用いられることにより、例えば、充電器（図示せず）が用いられてバッテリ４００（図２）に充電が行われる際や、バッテリ４００から電気が流される際に、バッテリ４００に過電流が生じるなどの異常が発生されたことが、過電流防止用抵抗素子２１０によって確実に検出されることとなる。予め設定された電圧などに対応可能な過電流防止用抵抗素子２１０として、例えば村田製作所製：ポジスタ（登録商標）などが挙げられる。
【００８２】
図１および図２の如く、各バッテリ４００（図２）間を直列に接続し、且つ、端子６０と通電可能に接続するバスバー５０Ａ，５０Ｂが、プレート本体１０１　に備えられている。バスバー５０Ａ，５０Ｂの略中央に、略逆凹字状に形成された略湾曲状の支点部５８が設けられると共に、一対の電気接触部５１がバスバー５０Ａ，５０Ｂに設けられている。
【００８３】
金属製素材（図示せず）に打抜き加工や、曲げ加工などのプレス加工が行われ、バスバー５０Ａ，５０Ｂの略中心部に各折り曲げ部５８ａ，５８ｂが設けられることで、バスバー５０Ａ，５０Ｂに、略逆凹字状に形成された略湾曲状の支点部５８が設けられる。このようにすることで、バスバー５０Ａ，５０Ｂの支点部５８の剛性が向上される。また、図２の如く、バスバー５０Ａの支点部５８に対応して、プレート本体１０１　に支持部１８が突設されている。
【００８４】
プレート本体１０１　にバスバー５０Ａが載置されて、バスバー５０Ａの支点部５８と、プレート本体１０１　の支持部１８とが合わせられた際に、バスバー５０Ａの一方の電気接触部５１は、プレート本体１０１　の基壁１０ｂに当接され、且つ、バスバー５０Ａの他方の電気接触部５１は、プレート本体１０１　の基壁１０ｂに対し非接触の状態とされる。
【００８５】
このようにすることで、プレート本体１０１　が用いられると共に、バスバー５０Ａ，５０Ｂを介して各バッテリ４００間が通電可能に接続される際に、各バッテリ４００間の上下方向の寸法公差は、プレート本体１０１　に備えられたバスバー５０Ａ，５０Ｂによって確実に吸収されることとなる。従って、配列された各バッテリ４００に対し、プレート本体１０１　は、容易に精度良く装着されると共に、バスバー５０Ａ，５０Ｂにより、各バッテリ４００間は、確実に通電可能に接続されることとなる。
【００８６】
ナット１００などの止具１００が用いられてバスバー５０Ａ，５０Ｂがプレート本体１０１　などに固定される前の状態は、プレート本体１０１　に設けられた支持部１８と、バスバー５０Ａ，５０Ｂの支点部５８（図２）とにより、バスバー５０Ａ，５０Ｂは、いわゆるシーソーの状態としてプレート本体１０１　に載置される。このようにすることにより、各バッテリ４００と、プレート本体１０１　との上下方向の寸法公差や、取付誤差などを吸収させることができる。また、各バッテリ４００間の寸法公差や寸法誤差は、バスバー５０Ａ，５０Ｂに設けられた一対の長孔５５によっても吸収可能とされる。
【００８７】
なお、バッテリ接続プレートの仕様により、例えばプレート本体　（１０１）に支持部（１８）が突設されず、また、バスバー（５０Ａ），（５０Ｂ）に支点部（５８）が設けられずに、略平板状をしたバスバー（５０Ａ），（５０Ｂ）が装備されたバッテリ接続プレートも使用可能とされる。即ち、図９の如く、略平板状に形成されたバスバー５０ＡＩ　も使用可能とされる。
【００８８】
図２の如く、ナット１００は、六角柱状をした本体１０１と、平ワッシャ部１０３とを備え、前記本体１０１と、前記平ワッシャ部１０３とは、一体に形成されている。また、ナット１００の本体１０１に雌ねじ部１０５が設けられている。また、上記バッテリ４００の本体４０１の上側に、雄ねじ部４０５を兼ねた電極４０５が設けられている。この電極４０５に対応して、上記プレート本体１０１　の基壁１０ｂと、バスバー５０Ａの各電気接触部５１と、端子６０の電気接触部６１とに、挿通孔１５，５５，６５が設けられている。
【００８９】
前記各挿通孔１５，５５，６５が合わせられると共に各挿通孔１５，５５，６５にバッテリ４００の電極４０５が通されて、雄ねじ部４０５を兼ねた電極４０５に雌ねじ部１０５を備えるナット１００が螺合されることで、各バッテリ４００に対しプレート本体１０１　が固定されると共に、端子６０と、バスバー５０Ａとが、確実にプレート本体１０１　に固定される。
【００９０】
このようなバッテリ接続プレート１１　の取付構造とされることで、バッテリ接続プレート１１　によって、各バッテリ４００は、配列された状態で確実に組立てられる。また、これと共に、各バッテリ４００間は、プレート本体１０１　に備えられた各バスバー５０Ａによって容易で確実に通電可能に接続される。しかも、電子部品２１０と接続された端子６０が、バッテリ４００の電極４０５に固定されることとなる。
【００９１】
また、図１および図２の如く、電子部品２１０が接続された端子６０と、この端子６０をプレート本体１０１　に装着させるカバー２０と、各バッテリ４００（図２）間を直列に接続し且つ端子６０と通電可能に接続する各バスバー５０Ａ，５０Ｂと、前記端子６０と、前記カバー２０と、前記各バスバー５０Ａ，５０Ｂとが装着されるプレート本体１０１　とを少なくとも備えるバッテリ接続プレート１１（図１）　が用いられて、各バッテリ４００（図２）が互いに組付けられるから、各バッテリ４００の組付け作業は、容易で迅速に行われることとなる。従って、各バッテリ４００の組立工程の作業効率が向上されることとなる。
【００９２】
図２に示される各ナット１００の雌ねじ部１０５がバッテリ４００の各雄ねじ部４０５と完全に螺合された際に、一方のナット１００の平ワッシャ部１０３は、端子本体６１と当接され、他方のナット１００の平ワッシャ部１０３は、バスバー５０Ａの他方の電気接触部５１と当接される。また、その際に、折り曲げられて形成されたバスバー５０Ａの支点部５８がやや変形されて、バスバー５０Ａに設けられた一対の電気接触部５１は、共にプレート本体１０１　の基壁１０ｂに当接される。
【００９３】
図１の長円状をしたＴ部に示される第一の実施形態の連続状ガイド壁１１ｋに代えて、図１０に示される他の実施形態での電線用ガイド壁１１ｋＩ　の如く、電線用ガイド壁１１ｋの一部が取り除かれて、ガイド壁１１ｋＩ　が間隔をおいて配設されたプレート本体も使用可能とされる。このようにすることで、ガイド壁１１ｋと、ガイド壁１１ｋＩ　とは、離れて立設されると共に、ガイド壁１１ｋと、ガイド壁１１ｋＩ　との間に空間１１ｎができることとなる。これにより、プレート本体に対する電線８０の配索が容易に行われることとなる。また、係止突起状をした係止部１４ｗが容易にガイド壁１１ｋ，１１ｋＩ　に形成可能とされるために、プレート本体の基壁１０ｂに、係止部１４ｗ成形用の治具用抜き孔１１ｐが設けられている。
【００９４】
図３および図４の如く、ガイド壁１１ｋ，１１ｍに設けられた係止部１４ｗは、両ガイド壁１１ｋ，１１ｍの間に電線８０を導き入れ易くさせるための傾斜摺接面１４ｗ３　と、電線８０が両ガイド壁１１ｋ，１１ｍの間に押入される際に電線８０と擦り合わされる摺接面１４ｗ２　と、両ガイド壁１１ｋ，１１ｍ間に押入された電線８０が、両ガイド壁１１ｋ，１１ｍ間から不用意に外されることを防止する係止面１４ｗ１　とを備えるものとして形成されている。
【００９５】
図１の如く、集められた１２本の電線８０は、櫛歯状集束部１６で折返される。櫛歯状集束部１６は、合成樹脂製のプレート本体１０１　に設けられた１２本の溝１６ｂと、それらの溝１６ｂの間に位置する突出部１６ａとを備えるものとして形成されている。プレート本体１０１　の櫛歯状集束部１６に設けられた１２本の溝１６ｂは、整列された１２本の電線８０に対応して並設されている。
【００９６】
集められた１２本の電線８０は、前記櫛歯状集束部１６で折返されると共に、プレート本体１０１　の櫛歯状集束部１６に合成樹脂製の結束カバー４０が取付けられ、１２本の電線８０は、結束カバー４０上に沿わされると共に、結束バンド９０が用いられて、プレート本体１０１　に立設された電線案内部１９に一つのものとして束ねられる。
【００９７】
さらに、図１に示されるバッテリ接続プレート１１　の上側に、プレートカバー（図示せず）が組付けられる。また、バッテリ接続プレートにより各バッテリが一つのものとして構成された電池は、通常の電池として使用可能とされ、また、例えば電気自動車などに搭載される燃料電池などとして使用可能なものとされる。
【００９８】
【発明の効果】
以上の如く、請求項１記載の発明によれば、配列された各バッテリを接続するバスバーと、バスバーが装着されるプレート本体とを備え、プレート本体に対し、バスバーのガタつきを抑える抑制部がプレート本体に設けられたバッテリ接続プレートとされているから、プレート本体に対するバスバーのガタつきは抑えられつつ、バスバーは移動可能な状態でプレート本体に装着されることとなる。抑制部が設けられていないプレート本体にバスバーが装着されると、例えば振動などによって、プレート本体と、バスバーとが当たり、このことから、バッテリ接続プレートから異音が発生されることが懸念されていた。これが改善されるために、プレート本体にバスバーのガタつきを抑える抑制部が設けられていれば、バッテリ接続プレートからの異音の発生は未然に防止されると共に、プレート本体に対し、バスバーを移動可能な状態で装着させることができる。
【００９９】
請求項２記載の発明によれば、バスバーを案内装着させるガイド壁がプレート本体に設けられ、ガイド壁に抑制部が設けられたものとされているから、抑制部が設けられるために特別なスペースがプレート本体に必要とされるということはない。プレート本体のガイド壁に抑制部が設けられていることにより、異音発生が防止され且つプレート本体が大型化されることのないバッテリ接続プレートを提供することができる。
【０１００】
請求項３記載の発明によれば、抑制部は、ガイド壁からバスバーが装着される収容部内に向けて延設された細長い可撓性ランスとされているから、プレート本体に対するバスバーのガタつきは、プレート本体のガイド壁に設けられた細長い可撓性ランスによって良好に抑えられることとなる。
【０１０１】
請求項４記載の発明によれば、抑制部は、プレート本体に対しバスバーが遊動可能とされる可撓性ランスとして形成されているから、剛性のあるプレート本体にバスバーが装着された場合、可撓性ランスにより、バスバーはプレート本体に対して適度に押接された状態で遊動固定されることとなる。従って、振動などによって、プレート本体にバスバーが当たり、バッテリ接続プレートから異音が発生されるということは、未然に回避されることとなる。
【０１０２】
請求項５記載の発明によれば、抑制部は、バスバーをプレート本体の基壁に押接させる可撓性ランスとして形成されているから、バスバーは、プレート本体の基壁に対して確実に押付けられた状態に維持されることとなる。従って、振動などによってプレート本体の基壁にバスバーが当たり、バッテリ接続プレートから異音が発生されるということは、未然に防止されることとなる。
【０１０３】
請求項６記載の発明によれば、可撓性ランスの先端部がバスバーの電気接触部に当接されることで、プレート本体の基壁に対しバスバーが押接されるから、バスバーは、可撓性ランスの先端部と、プレート本体の基壁との間に挟まれて、確実にプレート本体に遊動固定されることとなる。これにより、バッテリ接続プレートからの異音の発生を確実に防止させることができる。
【０１０４】
請求項７記載の発明によれば、抑制部は、バスバーが装着されるための収容部を形成するプレート本体のガイド壁に向けて、バスバーを押接させる可撓性ランスとして形成されているから、バスバーは、プレート本体のガイド壁に対して確実に押付けられた状態に維持されることとなる。従って、振動などによってプレート本体のガイド壁にバスバーが当たり、バッテリ接続プレートから異音が発生されるということは、未然に防止されることとなる。
【０１０５】
請求項８記載の発明によれば、バスバーに対応して可撓性ランスの先端部に溝部が設けられ、溝部にバスバーが挿入されることで、プレート本体のガイド壁に対しバスバーが押接されるから、バスバーは、可撓性ランスに確実に遊動固定されると共に、可撓性ランスの復元弾性力によって、バスバーは、確実にプレート本体のガイド壁に押付けられることとなる。従って、バッテリ接続プレートからの異音の発生を確実に防止させることができる。
【図面の簡単な説明】
【図１】本発明に係るバッテリ接続プレートの第一の実施形態を示す斜視図である。
【図２】同じくバッテリ接続プレートの第一の実施形態を示す断面図である。
【図３】同じくバッテリ接続プレートの第一の実施形態を示す拡大斜視図である。
【図４】同じくバッテリ接続プレートの第一の実施形態を示す縦断面図である。
【図５】本発明に係るバッテリ接続プレートの第二の実施形態を示す縦断面図である。
【図６】本発明に係るバッテリ接続プレートの第三の実施形態を示す斜視図である。
【図７】同じくバッテリ接続プレートの第三の実施形態を示す縦断面図である。
【図８】本発明に係るバッテリ接続プレートの第四の実施形態を示す縦断面図である。
【図９】バッテリ接続プレートに装着されるバスバーの他の実施形態を示し、（ａ）は平面図、（ｂ）は側面図である。
【図１０】図１に示されるＴ部の他の実施形態を示す拡大斜視図である。
【図１１】従来の組電池の一形態を示す斜視図である。
【図１２】従来のバッテリ接続プレートの一形態を示す平面図である。
【符号の説明】
１１　〜１４　　　　　　バッテリ接続プレート
１０１　〜１０４　　　　プレート本体
１０ｂ　　　　　　　基壁
１１ａ１　〜１１ａ４　　ガイド壁
１１ｂ１　〜１１ｂ４　　ガイド壁
１１ｓ，１１ｔ　　　収容部
１４ｐ１　〜１４ｐ４　　可撓性ランス（抑制部）
５０Ａ，５０Ｂ　　　バスバー
４００　　　　　　　バッテリ
【図１】
2004095380.tif 000003
【図２】
2004095380.tif 000004
【図３】
2004095380.tif 000005
【図４】
2004095380.tif 000006
【図５】
2004095380.tif 000007
【図６】
2004095380.tif 000008
【図７】
2004095380.tif 000009
【図８】
2004095380.tif 000010
【図９】
2004095380.tif 000011
【図１０】
2004095380.tif 000012
【図１１】
2004095380.tif 000013
【図１２】
2004095380.tif 000014